【手続補正書】
【提出日】平成21年5月29日(2009.5.29)
【手続補正１】
【補正対象書類名】特許請求の範囲
【補正対象項目名】全文
【補正方法】変更
【補正の内容】
【特許請求の範囲】
【請求項１】
被写体像を撮像した画像データを出力する撮像手段と、
前記画像データを記憶する第１のメモリ手段と、
前記撮像手段から出力された複数の画像データを合成して１枚の合成画像データを作成する画像合成手段と、
前記画像合成手段によって合成された前記合成画像データを記憶する第２のメモリ手段と、
前記第１のメモリ手段に記憶されている画像データと前記第２のメモリ手段に記憶されている合成画像データ間のズレ量を検出する検出手段と、を備え、
前記画像合成手段は、前記第１のメモリ手段に記憶されている画像データと前記第２のメモリ手段に記憶されている合成画像データを合成して、第２のメモリ手段に記憶するための合成画像データを生成する、ことを特徴とする撮像装置。
【請求項２】
前記第１のメモリ手段と前記第２のメモリ手段は、同一の記憶部の記憶領域を分割してそれぞれの記憶領域が設定される、ことを特徴とする請求項１に記載の撮像装置。
【請求項３】
前記第２のメモリ手段の記憶領域は、前記第１のメモリ手段の記憶領域より大とされる、ことを特徴とする請求項１又は２に記載の撮像装置。
【請求項４】
前記第２のメモリ手段に記憶されている合成画像データの信号レベルは、前記第１のメモリ手段に記憶されている画像データと同じ信号レベルとなるようにレベル調整される、ことを特徴とする請求項１乃至３の何れか１項に記載の撮像装置。
【請求項５】
前記レベル調整は、前記第１のメモリ手段に記憶されている画像データが、前記合成画像データを生成するためのＮ番目（ただし、Ｎは２以上の整数）の画像データであるときに、前記第２のメモリ手段に記憶されている合成画像データの信号レベルを、１／（Ｎ−１）倍とするレベル調整である、ことを特徴とする請求項４に記載の撮像装置。
【請求項６】
前記検出手段は、前記第１のメモリ手段に記憶されている画像データと、前記第２のメモリ手段に記憶されている合成画像データとの間の信号レベルの差分により２つの画像データ間のズレ量を検出する、ことを特徴とする請求項１乃至５の何れか１項に記載の撮像装置。
【請求項７】
前記第２のメモリ手段に記憶されている合成画像データに合成されて記憶される、前記第１のメモリ手段に記憶されている画像データを記憶する前記第２のメモリ手段の領域を示す記憶領域情報を、前記検出手段の検出結果に基づいて補正する補正手段と、を更に備える、ことを特徴とする請求項１乃至６の何れか１項に記載の撮像装置。
【請求項８】
前記検出手段は、前記第１のメモリ手段に記憶されている画像データに含まれる輝度信号と、前記第２のメモリ手段に記憶されている合成画像データに含まれる輝度信号との間で、２つの画像データ間のズレ量を検出する、ことを特徴とする請求項１乃至７の何れか１項に記載の撮像装置。
【請求項９】
前記検出手段は、動きベクトルの検出により前記第１のメモリ手段に記憶されている画像データと前記第２のメモリ手段に記憶されている合成画像データ間のズレ量の検出を行う、ことを特徴とする請求項１乃至８の何れか１項に記載の撮像装置。
【請求項１０】
被写体像を撮像した画像データを出力する撮像手段と、第１のメモリ手段と、第２のメモリ手段とを有する撮像装置の制御方法であって、
前記画像データを前記第１のメモリ手段に記憶する第１の記憶工程と、
前記撮像手段から出力された複数の画像データを合成して１枚の合成画像データを作成する画像合成工程と、
前記画像合成工程によって合成された前記合成画像データを前記第２のメモリ手段に記憶する第２の記憶工程と、
前記第１のメモリ手段に記憶されている画像データと前記第２のメモリ手段に記憶されている合成画像データ間のズレ量を検出する検出工程と、を備え、
前記画像合成工程では、前記第１の記憶工程で記憶された画像データと前記第２の記憶工程で記憶された合成画像データを合成して、前記第２のメモリ手段に記憶するための合成画像データを生成する、ことを特徴とする撮像装置の制御方法。
【請求項１１】
コンピュータに、請求項１０に記載の撮像装置の制御方法の各工程を実現させるためのプログラム。
【請求項１２】
請求項１１に記載のプログラムが記録されたコンピュータ読み取り可能な記録媒体。
【手続補正２】
【補正対象書類名】明細書
【補正対象項目名】０００８
【補正方法】変更
【補正の内容】
【０００８】
上記の目的を達成するために、本発明の実施形態における撮像装置は、被写体像を撮像した画像データを出力する撮像手段と、
前記画像データを記憶する第１のメモリ手段と、
前記撮像手段から出力された複数の画像データを合成して１枚の合成画像データを作成する画像合成手段と、
前記画像合成手段によって合成された前記合成画像データを記憶する第２のメモリ手段と、
前記第１のメモリ手段に記憶されている画像データと前記第２のメモリ手段に記憶されている合成画像データ間のズレ量を検出する検出手段と、を備え、
前記画像合成手段は、前記第１のメモリ手段に記憶されている画像データと前記第２のメモリ手段に記憶されている合成画像データを合成して、第２のメモリ手段に記憶するための合成画像データを生成する、ことを特徴とする。
【手続補正３】
【補正対象書類名】明細書
【補正対象項目名】０００９
【補正方法】変更
【補正の内容】
【０００９】
上記の目的を達成するために、本発明の他の実施形態における撮像装置の制御方法は、被写体像を撮像した画像データを出力する撮像手段と、第１のメモリ手段と、第２のメモリ手段とを有し、
前記画像データを前記第１のメモリ手段に記憶する第１の記憶工程と、
前記撮像手段から出力された複数の画像データを合成して１枚の合成画像データを作成する画像合成工程と、
前記画像合成工程によって合成された前記合成画像データを前記第２のメモリ手段に記憶する第２の記憶工程と、
前記第１のメモリ手段に記憶されている画像データと前記第２のメモリ手段に記憶されている合成画像データ間のズレ量を検出する検出工程と、を備え、
前記画像合成工程では、前記第１の記憶工程で記憶された画像データと前記第２の記憶工程で記憶された合成画像データを合成して、前記第２のメモリ手段に記憶するための合成画像データを生成する、ことを特徴とする。
【手続補正４】
【補正対象書類名】明細書
【補正対象項目名】００１７
【補正方法】変更
【補正の内容】
【００１７】
したがって、このように、合成画像データが、信号レベルを考慮せずに、単に信号を合成する合成画像データの場合には、抜き出されるＮ−１枚目の画像データは１/（Ｎ-１）倍に信号レベルが下げられてから手ぶれ検出部９に入力される。以上の動作について、図２で説明すると、Ｎ枚目の画像データがフレームメモリ領域６−１から、メモリＩ／Ｆ５を介し、手ぶれ検出部９に入力される。一方、合成処理用フレームメモリ領域６−２領域からのＮ−１枚目の画像データは、メモリＩ／Ｆ５を介し、さらに信号レベル調整部１８を介して手ぶれ検出部９に入力される。信号レベル調整部１８は、Ｎ−１枚目の画像データの信号レベルを１/（Ｎ-１）倍に下げてから、手ぶれ検出部９に入力される。信号レベル調整部１８は、ＣＰＵ１３からのレベル制御信号にしたがって、信号レベルを調整する機能を有する。
【手続補正５】
【補正対象書類名】明細書
【補正対象項目名】発明の名称
【補正方法】変更
【補正の内容】
【発明の名称】撮像装置、撮像装置の制御方法、プログラム及び記録媒体